(57)【要約】【課題】什器等に架設する操作性と機能性に優れた移動式梯子を提供する。【解決手段】移動式梯子１は、下端部材５の上に梯子２ａを固定するとともに、下端部材５下面には、下方付勢され垂直方向に進退動可能な下部ローラー６を備え、梯子２ａ上端部には、什器３０の上部に左右方向に水平架設された案内レール１５に沿って梯子２ａを横移動可能に支持する上部ローラー１６を設けて梯子本体２を形成する一方、梯子本体２には、下部ローラー６が退動して梯子本体２が下方に沈んだ時に水平移動を規制するストッパー手段（１４または２５）を設けて構成する。なお、下部ローラー６は首振り機能も備え、下部ストッパー手段１４は下端部材下面にゴム等の押圧部材１４ａを取り付けて構成し、梯子２ａ上端側には上部ストッパー手段２５を備えるなどの施策を施すと都合がよい。【選択図】　　　　図１
2004019156.tif 000002
【特許請求の範囲】
【請求項１】
床面に沿う下端部材上に梯子の下端を固定するとともに、前記下端部材の下面側には、下方付勢され垂直方向に進退動可能な下部ローラーを備え、前記梯子の上端部には、物品収納棚等の什器の上部に左右方向に水平架設された案内レールに沿って梯子を横移動可能に支持する上部ローラーを設けて梯子本体を形成する一方、該梯子本体には、前記下部ローラーが退動して梯子本体が下方に沈んだ時に梯子本体の水平移動を規制するストッパー手段を設けて構成される、什器等に架設する移動式梯子。
【請求項２】
上記移動梯子において、下端部材の下面側に備える下部ローラーが、垂直の軸心から偏心した位置に床面と垂直のローラーを回転可能に且つ前記軸心を中心として首振り可能に取付ける一方、該ローラーが前記下端部材下面から下方に進退動可能に下方付勢されて前記下面部材に支持された構成からなる、請求項１記載の什器等に架設する移動式梯子。
【請求項３】
上記移動梯子において、下部ローラーが退動して梯子本体が下方に沈んだ時に梯子本体の水平移動を規制するストッパー手段が、下部ローラーの退動時に床面に当接し押圧される下部押圧部材を前記下端部材下面に取り付けて構成される下部ストッパー手段からなる、請求項１または２記載の什器等に架設する移動式梯子。
【請求項４】
上記移動梯子において、下部ローラーが退動して梯子本体が下方に沈んだ時に横移動を規制するストッパー手段が、案内レールに沿って梯子本体の横移動を可能に梯子本体上端部を懸架支持する上部ローラーの支持部材下面と前記案内レール上面とが対面する部位の前記いずれか一方の部材に、下部ローラーの退動時に先端が相手部材に当接し押圧される押圧部材を取着して構成される上部ストッパー手段からなる、請求項１または２記載の什器等に架設する移動式梯子。
【発明の詳細な説明】
【０００１】
【発明の属する技術分野】
本発明は、梯子の技術に係わり、更に詳しくは、商品陳列棚や物品収納棚や書棚等の什器類に架設する移動式梯子の構造に関するものである。
【０００２】
【従来の技術】
ＣＤ、ビデオテープ等のレンタルや販売の店舗、書店、ホームセンター等々の店舗をはじめ図書館や倉庫などにおいても、背丈の高い商品陳列棚や物品収納棚や書棚類など複数の什器類を横列配置し且つその什器列を多数並列配置して商品や物品を陳列または収納保管している。このような現場では什器の高所に陳列・収納された商品物品等の取り出しと収納、配置換え、棚卸し等々の作業時には脚立・踏み台・梯子などを用いている。しかし什器の列間隔が狭いためそれらを安定姿勢で設置固定したり移動する十分なスペースが無く作業性が悪いばかりでなく、重くて大きな脚立・踏み台・梯子類の移動が作業従事者にとって負担となっている。また、作業の都度それらを保管場所から搬出する作業についても重労働で且つ周囲の物品や天井の照明灯などに接触して損傷する危険もある。更に梯子を用いる場合には、梯子を所定場所に移動し設置する都度ストッパを手で操作して固定する必要があり、とくに上端側ストッパの操作時にはストッパの解除状態で梯子に上る必要がある場合もあり危険が伴っている。
【０００３】
【発明が解決しようとする課題】
前述の状況に鑑み本発明が解決しようとするところは、広い設置スペースを必要とせず、僅かな操作力で什器列に沿って簡単に横移動が可能で、容易に作業位置に移動して高所の物品の収納・取り出し・移動および棚卸し等の作業が安全に行える、操作性と機能性に優れた移動式梯子を提供する点にある。そして本発明が解決しようとする他の課題は、梯子本体に乗るだけで特別の操作をしなくてもストッパが自動的に作用して安全に保持される機能を備えた移動式梯子を提供する点にある。
【０００４】
【課題を解決するための手段】
前述の課題解決のため、本発明の什器等に架設する移動式梯子は、床面に沿う下端部材上に梯子の下端を固定するとともに、前記下端部材の下面側には、下方付勢され垂直方向に進退動可能な下部ローラーを備え、前記梯子の上端部には、物品収納棚等の什器の上部に左右方向に水平架設された案内レールに沿って梯子を横移動可能に支持する上部ローラーを設けて梯子本体を形成する一方、該梯子本体には、前記下部ローラーが退動して梯子本体が下方に沈んだ時に梯子本体の水平移動を規制するストッパー手段を設けて構成する。
【０００５】
上記移動梯子において、下端部材の下面側に備える下部ローラーの下方への進退動可能な支持構造としては、垂直の軸心から偏心した位置に床面と垂直のローラーを回転可能に且つ前記軸心を中心として首振り可能に取付ける一方、該ローラーが前記下端部材下面から下方に進退動可能に下方付勢されて前記下面部材に支持される構成にすると都合がよい。
【０００６】
また、下部ローラーが退動して梯子本体が下方に沈んだ時に下端部材の水平移動を規制するストッパー手段については、下部ローラーの退動時に床面に当接し押圧される下部押圧部材を前記下端部材下面に取り付けて構成される下部ストッパー手段とするのが好都合である。或いはこれとは別に、ストッパー手段を、案内レールに沿って梯子本体の横移動を可能に梯子本体上端部を懸架支持する上部ローラーの支持部材下面と前記案内レール上面とが対面する部位の前記いずれか一方の部材に、下部ローラーの退動時に先端が相手部材に当接し押圧される押圧部材を取着して構成される上部ストッパー手段としてもよい。
【０００７】
なお、梯子本体の下端部には前記下部ストッパー手段、および上端部には前記上部ストッパー手段の両方のストッパー手段を設けると更に好都合である。その場合は梯子本体の上下両端を保持できるのでより一層安全性の高い移動式梯子に構成することができる。
【０００８】
【発明の実施の形態】
つぎに本発明の実施の形態を添付図面に基づき詳細に説明するが、本発明は添付図面に限定されず特許請求の範囲に記載の要件を満たす実施形態の全てを含むものである。図１〜６に本発明に係る什器等に架設する移動式梯子の基本的な実施の形態を示す。図１は店舗等の物品収納陳列棚に相当する什器に本発明に係る移動式梯子を架設した状態の全体側面を示し、図２は図１の斜め前方から見た状態を示す。そして図３〜６には各部の詳細を拡大して示し、図３は休止状態（ａ）および荷重が作用した状態（ｂ）のそれぞれにおける梯子本体の下部ローラーの状態、図４は梯子本体の上部ローラーと案内レールとの相対関係、図５は図４を正面から見た状態をそれぞれ示す。また、図６は上部ローラーの取付状態を展開して示している。
【０００９】
図において、本発明に係る什器等に架設する移動梯子１は、床面に沿う下端部材５の上に梯子２ａの下端を固定するとともに、下端部材５の下面側には、下方付勢され垂直方向に進退動可能な下部ローラー６を備え、梯子２ａの上端部には、物品収納棚等の什器３０の上部に左右方向に水平架設された案内レール１５に沿って梯子２ａを横移動可能に支持する上部ローラー１６を設けて梯子本体２を形成する一方、梯子本体２には、下部ローラー６が退動して梯子本体２が下方に沈んだ時に梯子本体２の水平移動を規制する下部ストッパー手段１４を設けて構成している。
【００１０】
つぎに、前記構成からなる什器等に架設する移動式梯子１の詳細構造を各構成要素毎に以下に順次説明する。梯子本体２は、梯子２ａおよびその下端に固定した床面に沿う下端部材５などで構成される。更に詳しく説明すると、梯子本体２は、１対の縦長部材３，３を縦方向に左右平行に置き、それに沿って複数の横木４を略等間隔で水平に配設固定して梯子２ａを構成する一方、梯子２ａの下端には、前後と左右それぞれ各１対の桁部材で水平の略矩形に構成した枠体構造からなる下端部材５を固着して構成する。この梯子本体２を側面から見ると、床面に平行な下端部材５と梯子２ａとが略Ｌ字状をなす形態で、図示のように設置した状態では梯子がやや前傾姿勢となるように形成されている。なお、梯子２ａの各縦長部材３の下部と下端部材５との接合部には補強部材５ａを取り付け剛体構造にしている。
【００１１】
梯子２ａは、添付図に示す例とは別に、１対の縦長部材３，３を下端部材５に対し垂直に固定した形態の垂直梯子としてもよいし、また縦長部材３は、図示はしないが真っ直ぐな部材とせずに上下端部が互いに側方に湾曲して広がる形態にしたり、下端から上端に向け次第に幅が狭くなる形態にするなどいずれでもよい。或いは縦長部材は、複数の部材で構成してこれを長手方向に伸縮可能に連結するとともに、高さを調節して伸縮部の固定が可能な構造にしてもよい。その場合は高さの異なる什器にも対応可能となり都合がよい。梯子の横木４は、添付図の例では断面コ字状溝形部材を溝部が下方に向くようにして取り付けているが、この形態に限らず断面が多角形や円形などからなる棒状部材、板状や断面が円弧状の部材などいずれでもよく、また、横木４の上面には図示しない滑り止めのための凹凸や筋目を刻設したりゴムコーティングなどを施すと好ましい。
【００１２】
一方、下端部材５は、図示のような枠体構造のほか、図示はしないが平板状部材や平板状部材に適宜補強部材を設けた構造などいずれの構造でもよい。また、下端部材５の張り出し方向は、縦長部材３に対し前後いずれの方向でもよいが、前傾梯子の場合は添付図に示すように前方側（傾斜側）に張り出す方が狭いスペースでも使いやすく都合がよい。
【００１３】
つぎに、下部ローラー６については、梯子本体２の下端部材５の下面側前後左右にそれぞれ各１個設けられている。図示の下部ローラー６は、取付軸７と、その下端に取着した逆Ｕ字形の固定枠９と、垂直方向に限定的に進退動可能に固定枠９に支持された可動軸１０と、可動軸１０に回転可能に取着した垂直のローラー１２と、固定枠９と可動軸１０との間に介在し可動軸を下方付勢する板バネ（図示しない）とで構成されている。そしてこの下部ローラー６を、下端部材５の上方部材に形成した貫通孔（図示しない）にローラー１２を左右方向に向けて取付軸７を下方から挿入し、取付軸７の軸端にナット８を装着して締め付けるとともに、ローラー１２の下端が下端部材５の下面から若干突き出る形態で固定する。なお、下端部材５の下部ローラー６の取付部には、下部ローラー固定枠９の両脇に接する逆Ｌ字状の１対の振れ止め部材１３、１３を取り付け、下部ローラー６の首振りを規制する。
【００１４】
以上のような構成により、下部ローラー６は、床面上を左右移動可能に梯子本体２を支持する一方、前述の図示しない下方付勢用板バネの付勢力を超える垂直加重が梯子本体２に作用すると下部ローラー６は下端部材５の下面内に退動し、梯子本体２が下方に沈み下端部材５の下端が床面に当接するように作用する。なお、下部ローラー６は図示の例では下端部材の４隅にそれぞれ各１個設けているが、本発明においては下部ローラーの数は４個に限定せず少なくとも１個以上設ければよい。下部ローラー６を１個のみ設ける場合は下端部材５の左右方向の中央に設け、且つ後述の上部ローラー１６の縦ローラー２３（図４，５参照）は少なくとも梯子２ａの左右端近傍にそれぞれ設け、上端側で左右の傾きを防止する構成とする。
【００１５】
一方、下部ローラー６は、添付図面に示す構造に限らず、横方向移動は自在で、人の体重が加わったときには下端部材の下面内に退動することに加えて、前後方向には所定範囲を限定的に移動が許容される機能を備えた構造にしてもよい。図示は省略するがその場合の下部ローラーの構造の一例としては、縦軸と、その縦軸下端に水平回転可能に取着した逆Ｕ字形の支持枠と、この支持枠内の前記縦軸の軸心から偏心した位置に横軸を介して回転可能に且つ縦軸を中心に水平方向に首振り可能に取着した垂直のローラーとで構成し、縦軸部は下端部材（符号５に相当）に形成された装着穴に対しバネなどの弾性体を介して下方付勢され且つ下端部材下面から下方に進退動可能に支持してなる構造とする。この場合の下部ローラーは、梯子本体（符号２に相当）を水平全方向に自在に移動可能に支持し、バネなどの弾性体の下方付勢力で梯子本体を支え、梯子本体に人が乗るとその重みで退動して梯子本体が下方に沈む機能を備える。
【００１６】
或いは上記機能を備えた下部ローラーの更に別の構造としては、例えば、バネなどの弾性体で下方付勢され垂直方向に進退動可能に支持された支持軸の先端に略半球状の凹部を形成し、この凹部に球体を装着し、この球体が凹部内で全方向に回転可能に支持されてなる構造としてもよい。
【００１７】
なお、上記いずれの実施形態においても、下部ローラーを下方付勢する弾性体に関しては、装着形態の詳細構造の図示は省略するが、コイルバネや皿バネや板バネ等のほか弾性に富んだゴムなどの部材を用いてもよい。
【００１８】
つぎに、下部ストッパー手段１４は、摩擦係数が高く且つ柔軟性に富んだ材質からなる下部押圧部材１４ａを下端部材５の前後下端部に装着して形成する。この下部押圧部材１４ａは、下部ローラー６が進出付勢され梯子本体２の自重を支えた状態においては、下部押圧部材１４ａの下端が床面との間に若干の隙間を保つ高さに設定されている（図３（ａ）参照）。従ってその状態では、梯子本体２は自由に水平移動が可能であるが、梯子本体に人が乗るとその重みで下部ローラー６が退動し、下部押圧部材１４ａが床面に当接して押圧されし、床面と下部押圧部材１４ａとの摩擦力で梯子本体２の水平移動が規制される。下部押圧部材１４ａは、例えばゴムなどの摩擦係数が大ききく且つ柔軟性に富んだ材料で形成すればよい。
【００１９】
下部ストッパー手段１４は、前記の例に限らず図示は省略するが、下端部材下面から僅かに突出する少なくとも１つ以上の突起状部材を下端部材下面に取着または形成する構成でもよい。或いは、図示の形態の押圧部材１４ａの下端部にやや粗めの凹凸を形成すると都合がよい。その場合、床面に絨毯状の内装材を敷いたり貼り付けてある場合でもこの押圧部材の凹凸部が内装材に沈み込む様に内装材を押圧してスリップを抑止し、梯子本体の水平移動を規制する。そのほかにも、下部ローラー６が退動した際にローラー１２の周囲またはその回転部に当接または係合して回転を直接規制する制動部材または係合部材を下端部材５に形成または取着する方法、或いは下部ローラー６の進退動部材（図示の例では可動軸１０に相当）に対しそれと連動するレバー機構などを連結し、そのレバー機構の動きで上記の機能を間接的に実現させる方法など、種々の形態が選択できる。
【００２０】
つぎに、案内レール１５については、横列配置した什器３０，３０の上部に什器配列の全長に亘る長尺案内レール（符号１５に相当）を水平架設すればよい。ただし図２に示すように、予め什器３０それぞれに統一規格の案内レール１５を同レベル且つ同位置に什器の全幅に亘って水平架設しておき、この什器３０を横列配置した際に各什器の案内レール１５が互いに突き合わされ水平一直線に連続する構成にすると都合がよい。これによって、店舗の模様変えや什器類の配置変えや増設等の都度案内レールの取り付け直しを行う手間が省けて好都合である。
【００２１】
案内レール１５の構造については、図示の例では、後述の上部ローラー１６或いは更に上部ストッパー手段２５（後述）との関連で決まる実施形態の一例を示している。案内レール１５は、水平の底板１５ａと、底板の前後端を垂直上方に曲げて形成した前後１対の側板１５ｂ，１５ｂと、手前側側板１５ｂの上端を内方に折り曲げて形成した水平の上板１５ｃとで構成され、上板１５ｃには案内レール長手方向に沿って切欠状開口１５ｄを有してなり、上方が開口する断面が略溝形の長尺部材に形成され、前方側板１５ｂが什器の上部前壁に固着されるとともに底板１５ａの両端は什器本体から突出する部材で下方から支持されている。
【００２２】
案内レール１５は、梯子本体２の上部に作用する前後方向と下方の加重を支持し且つ梯子本体を長手横方向に沿って自由に移動可能であれば、図示以外の形態でもよい。例えば、後述の上部ローラー１６を溝車の形態として、且つ案内レールを前記溝車に係合する長尺の棒状部とこの棒状部を什器側から水平支持する支持部材とで構成してもよいし、或いは、平坦な水平部とこの水平部の側方端または中央から立設する垂直部とを有してなる断面Ｌ形やＴ形やＨ形などのような長尺部材を什器上部に固着して構成してもよい。
【００２３】
つぎに、上部ローラーについては、本明細書では、梯子本体２の上端部を案内レール１５に懸架し且つ案内レール１５に沿って長手方向（左右方向）に移動可能に支持する一連の部材を指し、複数のローラーとそれらを支持する懸架部材１７とから構成される。図示の例では、上部ローラー１６は、梯子本体２の上端部に前方に向け略水平に突出するように取着された懸架部材１７と、懸架部材の先端に案内レールに沿ってその長手方向に転動可能に垂直に取り付けられた縦ローラー２３と、前記懸架部材１７の先端に案内レールに沿ってその長手方向に転動可能に水平に取り付けられた前後１対の横ローラー２４，２４のローラー対の２種類のローラーとで構成され、この縦ローラー２３と横ローラー２４，２４とを梯子２ａの左右にそれぞれ１組ずつ設けて構成している。そして、上部ローラー１６の縦ローラー２３と横ローラー２４，２４との相対的位置関係については、縦ローラー２３が案内レール１５の底板１５ａに接し且つ１対の横ローラー２４，２４については、その各々が案内レール１５前後の側板１５ｂ，１５ｂに対しそれぞれ接するような関係に設定されている。なお、縦ローラー２３については図示の配置とは異なり、梯子本体２の左側横ローラー２４と右側横ローラー２４の間の中央に１個のみ設ける配置構成にしてもよい。
【００２４】
上記の懸架部材１７は、基端部１８が梯子本体縦長部材３の頂部に固着され且つ先端が前方即ち案内レール１５側に水平に突出する１対の腕部１９と、腕部１９先端に垂直下方に向けて固設されたローラー支持板２０とを有してなる。そしてローラー支持板２０には、その下端側に縦ローラー２３を下方に突き出る状態で取り付ける一方、縦ローラー２３近傍には、ローラー支持板２０の下端を折り曲げて形成した水平部２１とその反対側面とに対しそれぞれ横ローラー２４，２４を取り付ける。この構造により、横ローラー２４が梯子本体２の上部に作用する前後方向荷重を案内レール１５の側板１５ｂに伝えて支持しつつ案内レール１５に沿って横移動を可能に支持するとともに、縦ローラー２３は梯子本体２の上部に作用する上下方向荷重を案内レールの底板１５ａに伝えて支持することができる。
【００２５】
上記において、縦ローラー２３については、上記の例とは別に詳細構造の図示は省略するが、側面が逆Ｕ字状の固定枠と、この固定枠内で下方付勢され限定的範囲で上下に進退動可能に支持された水平の可動軸と、この可動軸に回転可能に装着されたローラーとから構成すると都合がよい。このような構造にすることにより、梯子本体に人が乗った際に下端部材の下部ローラーが退動して梯子本体２の下端側が下方に沈む際に上部ローラーの縦ローラーも連動して退動し、上部ローラーに無理な荷重を作用させることなく梯子本体２の全体を均等に沈ませることが可能となり、梯子本体が下方に沈み縦ローラーが退動端に到達した状態で案内レールに対し梯子本体上端に作用する上下方向荷重を伝達して支持することがができる。
【００２６】
或いは更に上部ローラー取付に関する別の実施形態としては、上部ローラーの縦ローラーは、上下に進退動しない固定型として案内レール１５の底板１５ａに対し若干の隙間を隔てて対峙するような相対的位置関係に設定する。この場合も上記と同様な作用効果が得られ、縦ローラーと案内レールの底板との間の若干の隙間の範囲内で梯子本体全体が均等に下方に沈むことを許容して上部ローラーに無理な荷重を作用させることがない。そして梯子本体が下方に沈んだ際は、縦ローラーが案内レールに接し梯子の上下方向の荷重を支持することができる。
【００２７】
なお、案内レール１５の両端には、図７（後述）に示すように、それぞれ端部ストッパー手段２６を設けると都合がよい。端部ストッパー手段２６は、案内レール１５の両端に固着したストッパー部材２７を上部ローラー懸架部材１７のローラー支持板２０に当接させることにより、梯子本体２の横移動を停止させる横移動行程端のストッパー機構である。図７に示す例では、案内レール１５の側板１５ｂに平面がＬ字状のストッパー部材２７の１辺をネジ固定するとともにその他辺の面を案内レール１５の溝部に位置させ長手方向に向けて当接面となし、この当接面がローラー支持板２０の側端に当接した際に梯子本体２の横移動が最終的に停止するように構成している。ただし端部ストッパー手段２６については、案案内レール１５端部の装飾を兼ね案内レール端末に装着する端末保護カバー（図示しない）を上記の端部ストッパー手段のストッパ部材２７に代えることが可能である。その場合、図示しない端末保護カバーは案内レールにネジまたはピン等で脱着可能に固定するようにする。
【００２８】
つぎに、上記構成からなる什器等に架設する移動式梯子１の作用を説明する。什器３０の上部前方には統一規格で同じ位置に案内レール１５が全幅に亘って水平固設され、什器３０を横列配置した際には各什器の案内レール１５が互いに一直線に連なるように構成されている。そしてこの案内レール１５の側端から梯子本体上部のローラー支持板２０と縦ローラー２３横ローラー２４とを挿入して案内レール１５の溝部内を切欠開口１５ｄに沿って押し込み、案内レール１５の端部ストッパー手段２６のストッパー部材２７を案内レール１５に図７に示す如く取り付ける。これによって梯子本体２は、上端側が懸架部材１７を介して案内レール１５で横移動可能に支持されるとともに、下端側は下端部材５下面に取り付けられた下部ローラー６で床面に沿って横移動可能に支持される。この状態においては梯子本体２は、適宜の場所を手で押すと案内レール１５に沿って簡単に横移動が可能であり、作業をしない通常の休止持には邪魔にならない位置（什器の側端位置など）に格納しておく。
【００２９】
つぎに作業時には、作業者が梯子本体２を作業位置に押して移動させ、梯子２ａの下段の横木または下端部材５に乗ると、作業者の体重で下端部材５の下部ローラー６が退動して梯子本体が下方に沈む。それに伴い下部ストッパー手段１４の下部押圧部材１４ａが床面に当接押圧され、床面との間に作用する摩擦力で下端部材５が前後左右いずれの方向にも移動しないように自動的に支持される。一方、梯子本体の上端部については、什器３０に固定支持された案内レール１５の側板１５ｂ，１５ｂに対向して接する横ローラー２４，２４の左右対が前後方向の倒れを防止する。従って、作業者は梯子２ａの上段に上っていき高所棚の物の取り出し・収納・移動などの作業を安全に行うことができる。そして作業者が梯子２ａから床に降りた際は、梯子２ａに係っていた体重が無くなりため、下部ローラー６が進出動して梯子本体２が上昇し、下部ストッパー手段１４が解除され、梯子本体２は再び自由に横移動させることが可能になり、同じ横列配置された他の什器の前に移動して作業することも随意に可能である。
【００３０】
なお、上記において、上部ローラーの縦ローラーが上下に進退動しない構造で、且つこの縦ローラーが常に案内レール１５の底板１５ａと接している構成の場合は、作業者が乗って梯子本体が下方に沈む際に下部ストッパー手段１４の押圧部材１４ａが床面に十分押圧された状態に至るまでの間は、下部ローラー６がスリップして下端部材５側が僅かに前方（什器３０側）に移動し、梯子本体がごく僅かな角度だけ立ち上がった状態で上下両端が最終的に支持される。
【００３１】
つぎに、本発明の梯子本体上端部に上部ストッパー手段を設ける実施形態について図７〜８に基づき説明する。図７〜８においては前述の図１〜６の説明におけるものと同一の部材は同一符号で示し、図７は図４に、図８は図５にそれぞれ対応して示している。上部ストッパー手段２５については、梯子本体２の上端部の横移動を規制する安全目的で設ける。図示の例では、梯子２ａ上部の懸架部材１７の下面と対峙する案内レール１５の上板１５ｃに対し、その端部を包むように上面に沿って摩擦係数の大きな弾性体材料（例えばゴム材）からなる押圧部材２５ａを装着して構成している。押圧部材２５ａは、その上面が梯子２ａの懸架部材１７の下面と僅かな隙間を隔てて対峙する関係位置に設定されている。
【００３２】
上部ストッパー手段２５は、上記の例に限らず別の形態で構成することも可能である。即ち、実施形態の図示は省略するが上記に代わる他の上部ストッパー手段としては、摩擦係数の大きな弾性体材料をパッド状に形成してなる押圧部材を案内レール１５の上板１５ｃ上面から上方に若干の隙間を隔てて対峙する関係位置で懸架部材の腕部１９の下面に取り付けて構成してもよいし、或いはまた、先端に下向きの凹凸を有するストッパー爪を懸架部材の腕部１９の下面に取着し且つこれと対峙する案内レール１５にはそれに沿って上向きの凹凸を形成して梯子本体２が下方に沈んだ際に互いの凹凸が噛み合うように構成してもよいし、その他これらに準ずる適宜の摩擦手段または係合手段が適用可能である。
【００３３】
上部ストッパー手段は、上記の実施形態のいずれかに構成することにより、梯子本体に人が乗って梯子本体が下方に沈だ際に、懸架部材の腕部下面と案内レール上部との間に介在する上部ストッパー手段が作動して梯子本体の横移動を規制することができる。
【００３４】
なお、作業者が乗って梯子本体が下方に沈む際において、上部ストッパー手段の押圧部材が当接変形して縦ローラーが退動完了するまでの梯子本体上端側の沈み量に対し、前述の下部ローラーの退動と下部押圧部材の変形に伴う下端側の沈み量が一致しない場合、前述の説明のように梯子本体下端側の前後方向スリップまたは移動で自動補正する。即ち、下部ローラーが首振り機構（荷重作用方向に追従して方向が自動変更される機構）を備えている場合はその首振り作用とにより、或いは、首振り機構を備えていない場合は前述の説明の如く床面上でのスリップ作用により、いずれの場合も、梯子本体の下端側が僅かに前後移動することで梯子本体は安定支持位置に姿勢が自動補正される。つまり梯子本体の上端側の沈み量が下端側の沈み量よりも少ないときには梯子本体下端側が前方（什器側）へ若干移動し、沈み量がこれと逆の場合は梯子本体下端側が後方（什器と離れる方向）へ若干移動することで梯子本体の下部ストッパー手段が床面と接して梯子本体が安定姿勢で支持される。
【００３５】
ただし、上部ローラー１６の縦ローラー２３が図示のように上下に進退動しない形態の場合、作業者が梯子２ａに乗る前に梯子本体２の下端側を若干前方へ押し込むことにより梯子本体が僅かに立ち上がるので、この操作で縦ローラー２３と案内レール１５の底板１５ａとの間に若干の隙間を生じさせ、しかるべき後に梯子２ａに乗ればよい。この場合は、前述の他の実施形態の説明のように、上部ローラーに無理な荷重を作用させることがなく、梯子本体が下方に沈むことにより縦ローラー２３が案内レールの底板１５ａに接し梯子の上下方向の荷重を支持することができる。
【００３６】
【発明の効果】
以上にしてなる請求項１に係る発明の構成からなる移動式梯子は、梯子が急角度であるにも拘わらず上端が案内レールで支持され倒れない構造のため、架設や移動のための広い設置スペースを必要とせず、また、上下にローラーを備えているので僅かな操作力で什器列に沿って簡単且つ容易に横移動が可能であり、しかも下部ローラーは進退動可能に取り付けられ且つ退動時には下部ストッパー手段が作用して梯子の水平移動を規制し、梯子の上下端部が安全且つ安定的に支持されるため、高所の物品の収納・取り出し・移動および棚卸し等の作業が安全に行えるのみならず、梯子本体に乗るだけで特別の操作をしなくても下部ストッパ手段が自動的に作用して安全に保持される機能を備えており、固定忘れによる転倒事故の心配が無い。つまり、この構成からなる移動式梯子は、設置スペースが小さく且つ操作上も機能上も安全面でも極めて優れている。
【００３７】
また、本発明の請求項２に係る発明の移動式梯子は、梯子本体下端部材下面に取り付けられる下部ローラーが、上下に進退動するほか首振り可能な構造にしたことにより、梯子本体の横移動は勿論前後方向の動きにも追従可能である。そのため、作業者が梯子に乗って梯子本体が下方に沈む際に、上部ローラーに無理な荷重を作用させることなく梯子本体の下端部材の接地位置を自動的に適正位置に補正し、安定保持させることができるといった作用効果を奏する。
【００３８】
また、本発明の請求項３に係る発明の移動式梯子は、下端部材の水平移動を規制する下部ストッパー手段が、下端部材下面に床面に当接し押圧される下部押圧部材を取り付けた構成としたので、下端部材の全幅に亘って押圧部材を装着することが可能で、安定的保持が可能なストッパー手段を安い費用で実現することが可能で、また特別の操作を介さず作業者が梯子に乗るだけで梯子を安全に保持するといった作用効果を奏する。
【００３９】
また、本発明の請求項４に係る発明の移動式梯子は、梯子本体の上端部に下部ローラーが退動して梯子本体が下方に沈んだ時に横移動を規制する上部ストッパー手段を設け、上記下部ストッパー手段と同様の作用効果を実現する。また、上部ストッパー手段を、梯子上端部を懸架支持する上部ローラー支持部材下面と前記案内レール上面とが対面する部位のいずれか一方の部材に、先端が相手部材に当接し押圧される押圧部材を取着して構成したため、下部ストッパー手段と同様、複雑な機構や手で操作必要なロック機構などを用いずに単純且つ安価に構成でき且つ梯子に乗るだけで作用し、梯子の位置に無関係に任意の位置で確実に梯子上端部を安全に保持するといった作用効果を奏する。
なお、本発明に係る移動式梯子においては、上記の下部ストッパー手段と上部ストッパー手段との両方を備えた場合、梯子本体の上下両端をそれぞれ水平方向移動しないように保持し、極めて安全性の高い梯子に構成することができる。
【図面の簡単な説明】
【図１】本発明に係る什器等に架設する移動式梯子の実施例を示し、什器に移動式梯子を架設した状態で全体を側面から見た図である。
【図２】図１の移動式梯子の全体を斜め前方から見た斜視図である。
【図３】図１の移動式梯子の下部ローラーの部分を示す拡大図で、（ａ）は休止状態、（ｂ）は荷重が作用した状態をそれぞれ示している。
【図４】図１の移動式梯子の上部ローラーと案内レールの部分を示す拡大図である。
【図５】図１の移動式梯子の上部ローラー部分の正面図で、案内レールの側板を除いて示している。
【図６】図５の上部ローラー部分を展開して示す図である。
【図７】上部ストッパー手段を設けた場合の実施例を示す図で、図４と同じ方向から見た状態を示している。
【図８】図７の実施例を図５と同じ方向から見た状態で示している。
【符号の説明】
１　移動式梯子
２　梯子本体
２ａ　梯子
３　縦長部材
４　横木
５　下端部材
５ａ　補強部材
６　下部ローラー
７　　取付軸
８　　ナット
９　　固定枠
１０　　可動軸
１２　ローラー
１３　振れ止め部材
１４　下部ストッパー手段
１４ａ　　下部押圧部材
１５　案内レール
１５ａ　　底板
１５ｂ　側板
１５ｃ　上板
１５ｄ　切欠状開口
１６　上部ローラー
１７　懸架部材
１８　基端部
１９　　腕部
２０　ローラー支持板
２１　　水平部
２３　縦ローラー
２４　横ローラー
２５　上部ストッパー手段
２５ａ　押圧部材
２６　　端部ストッパー手段
２７　　ストッパー部材
３０　什器
【図１】
2004019156.tif 000003
【図２】
2004019156.tif 000004
【図３】
2004019156.tif 000005
【図４】
2004019156.tif 000006
【図５】
2004019156.tif 000007
【図６】
2004019156.tif 000008
【図７】
2004019156.tif 000009
【図８】
2004019156.tif 000010